(57)【要約】【課題】まつ毛の付け方が容易となり整然とした配列となるので、施術者や被施術者が表現しようとする美的な独創性を活かしやすく、また、一本ずつ継ぎ足す施術も容易となり、耐久性もさらに良くなる付けまつ毛を提供する。【解決手段】生えまつ毛に接着剤で接続して増毛するための毛体からなる付けまつ毛において、接着部分となる基端部に、まつ毛本体の長手方向に対して変向する屈折部を形成してあることを特徴とする。【効果】生えまつ毛に直列にではなく、２・３本の生えまつ毛に跨がって接続することで強度を確保しながら、屈折部の角度を利用しながら自由な方向を取りうるので、目の縁に沿って美しく整然と配列でき、これを基本において施術者や被施術者が表現しようとする独創性が活かしやすく、また、継ぎ足す施術も容易となり、耐久性もさらに良くなるという優れた効果がある。【選択図】    図１
0003167976.tif 000002
【実用新案登録請求の範囲】
【請求項１】
生えまつ毛に接着剤で接続して増毛するための毛体からなる付けまつ毛において、接着部分となる基端部に、まつ毛本体の長手方向に対して変向する屈折部を形成してあることを特徴とする付けまつ毛。
【請求項２】
まつ毛本体の長手方向に対する屈折部の屈折角度が５°〜１７５°であることを特徴とする請求項１記載の付けまつ毛。
【請求項３】
まつ毛本体には先端部を一方位に湾曲してなるカールが形成され、屈折部の屈折方位がまつ毛本体を中心に周囲３６０°いずれかの方位であることを特徴とする請求項１又は２記載の付けまつ毛。
【考案の詳細な説明】
【技術分野】
【０００１】
この考案は、生体の一部である生えまつ毛を利用しそれに１本ずつ継ぎ足して増毛する施術に用いる付けまつ毛に関する。
【背景技術】
【０００２】
付けまつ毛には、目の縁に沿って接着する縁帯に多数の毛体を結着して配した配列型（特許文献１）や、目の縁に一本ずつ植えつける植毛型、生体の一部である生えまつ毛を利用する前記したような継ぎ型（特許文献２）の主に３つの形態がある。
【０００３】
本考案の付けまつ毛は、最後の継ぎ型に属するもので、一本ずつ身体の一部となっている生えまつ毛に接着剤で継ぎ足すものであるために、根本がしっかりとしており脱落することなく比較的耐久性がある。なお、一本の形状であるが、先端部が二股に分かれるものも提案される（特許文献２）。
【先行技術文献】
【特許文献】
【０００４】
【特許文献１】特公昭５２−２８０６３号公報
【特許文献２】特開２００８−２５５５５７号公報
【考案の概要】
【考案が解決しようとする課題】
【０００５】
身体と一体の生えまつ毛は、長短があり方向等もランダムな生え方であることが多い。しかし、従来の上記したような継ぎ型の付けまつ毛は、自然に生えている自分の生えまつ毛の延長として使用されるものであったから、殊にランダムが激しいと雑となるため整然と付けまつ毛を美しく揃えることは困難であった。また、このような揃った基本をとりがたいので、施術において付けまつ毛の配列の表現に独創性を活かしがたく、施術者や被施術者が描いている理想的な形態からみると意に反することとなりやすかった。
【０００６】
施術においては、付けまつ毛の基端部に接着剤を塗布し、ピンセット等の器具で摘んで生えまつ毛に接着して接続するが、その際に生えまつ毛の延長にピン先が目に近く危険位置となるために、安全のために接続操作が容易ではなく、特に、抗ガン剤の副作用等を要因として薄毛でランダムな生え方となっているまつ毛に接続するには困難が伴っていた。
【０００７】
この考案は、上記のような実情に鑑みて、まつ毛の付け方が容易となり整然とした配列となるので、施術者や被施術者が表現しようとする美的な独創性を活かしやすく、また、一本ずつ継ぎ足す施術も容易となり、耐久性もさらに良くなる付けまつ毛を提供することを課題とした。
【課題を解決するための手段】
【０００８】
上記の課題を解決するために、この考案は、生えまつ毛に接着剤で接続して増毛するための毛体からなる付けまつ毛において、接着部分となる基端部に、まつ毛本体の長手方向に対して変向する屈折部を形成してあることを特徴とする付けまつ毛を提供するものである。
【０００９】
付けまつ毛を上記のように構成したから、これを使用するときには、基本的にはまつ毛本体の基部や屈折部に接着剤を塗布して生えまつ毛に接続するが、その時、２・３本の生えまつ毛にまたがって接着することにより、取り付けの強度や安定性を確保できる。
【考案の効果】
【００１０】
以上説明したように、この考案の付けまつ毛によれば、生えまつ毛に直列にではなく、２・３本の生えまつ毛に跨がって接続することで強度を確保しながら、屈折部の角度を利用しながら自由な方向を取りうるので、目の縁に沿って美しく整然と配列でき、これを基本において施術者や被施術者が表現しようとする独創性が活かしやすく、また、継ぎ足す施術も容易となり、耐久性もさらに良くなるという優れた効果がある。
【図面の簡単な説明】
【００１１】
【図１】この考案の付けまつ毛の一例を示す斜視図である。
【図２】同付けまつ毛の正面図である。
【図３】同付けまつ毛の側面図である。
【図４】同付けまつ毛の使用状態を示す説明図である。
【図５】他の実施例を示す正面図である。
【図６】さらに他の実施例を示す正面図である。
【図７】主に図５，図６に示す付けまつ毛の使用状態を示す説明図である。
【図８】この考案の付けまつ毛を作る製造装置の断面斜視図である。
【考案を実施するための形態】
【００１２】
この考案の付けまつ毛は、プラスチック等で成形するもので、まつ毛本体１の基端に屈折部３が設けられる。まつ毛本体１の先端は細く形成するのが良い。太さが全長に同じのストレート形状を除外するものではないが、図示の如く先細であると自然に見える点で望ましい。材料の種類も特に制限するものではないが、熱可塑性のプラスチックの繊維を有効に使用できる。
【００１３】
屈折部３の形成の仕方については、例えば図８に示すような成形装置７を使用する。これについて説明すると、内部にヒーター８が内蔵された加熱成形器に屈折角部１１を有するので、そのカール形成面となる背面にまつ毛本体１となる部分を当てながら、コテ等で基端部３ａを正面に伏せて屈折部３を形成する。なお、別の簡単なやり方としては、施術現場において、加熱ピンセット（ピンコテ）でその都度摘まみながら捻って屈折部３を自由な角度に形成することも可能である。
【００１４】
まつ毛本体１の先端部を先細にするには、素材としの熱可塑性の繊維の長さ中間部を加熱しながら両端を引っ張って飴のように伸ばして、伸びて細くなった部分を先細の部分に利用する手段を取ることもできる。
【００１５】
先細部分以外の太さ、つまり、まつ毛本体１の基部や屈折部３の太さについては、０．０５〜０．１５ｍｍ程度が良い。また、まつ毛本体１に対する屈折部３の屈折角度αは、５°〜１７５°とすると、この範囲で顧客の要望に応じて、自由な表現が可能である。
【００１６】
長さについても例示すれば、主体となるまつ毛本体１の長さは、６〜１４ｍｍ、望ましくは８〜１２ｍｍとする。これに対して屈折部３の長さは、１〜５ｍｍとすると、長さ範囲において独走的な表現が可能となるとともに、ピンセット等の器具で摘まみながら、生えまつ毛Ｓに接続しやすく、操作を容易にできることになる。
【００１７】
まつ毛本体１は、先端部に弓形に湾曲するカール５を形成したときにおいて、先の曲がる方位Ｑに対して、屈折部３の屈折方位Ｒはいずれの方向であっても良い。すなわち、屈折部３は、まつ毛本体１を中心に３８０°いずれの方位に屈折していても良いものとする。
【実施例１】
【００１８】
図１ないし図３は一実施例を示したもので、その付けまつ毛Ｐは、熱可塑性ポリエステルの繊維からなり、熱可塑性の性質を利用して先細にまつ毛本体１を形成するとともに、その基端に屈折部３が形成される。この場合、屈折部３の屈折角度αは９０°とした。また、まつ毛本体１の先細部分にはカール５が掛けられており、まつ毛本体１の中心から見てカール５の湾曲する方位Ｑに対して屈折部３の方位Ｒが角度β９０°の開きとなっている。
【００１９】
図４は、上記の付けまつ毛Ｐの使用状態を示したもので、目８の上蓋の縁には多数の生えまつ毛Ｓ，Ｓ，・・が生えているが、貧弱で長さが不足しており、また、長さや方向や位置がランダムな状態にある。施術においてこれを修正し増毛により目にアクセントを持たせたいと考えた。そこで、原則として２本の生えまつ毛Ｓ，Ｓで支持することとした。これには、１本の生えまつ毛Ｓにまつ毛本体１の基端部を添えて接着し、屈折部３の端部を隣の生えまつ毛Ｓに接着した。
【００２０】
しかし、２本対１本であれば増毛に本数で不足するため、同じ２本の生えまつ毛Ｓ，Ｓにもう１本の付けまつ毛Ｐを先の付けまつ毛Ｐと差し違いに付ける場合も図示で見られる。例えば、こうした場合には、本数での不足がなく、しかも、２本の生えまつ毛Ｓ，Ｓと２本の付けまつ毛Ｐ，Ｐにより非常に安定した組構造が得られ、さらに、各付けまつ毛Ｐ，Ｐ・・の間隔がほゞ同じとなり、目がパッチリの整然とした並びとなる。
【実施例２】
【００２１】
図５は他の実施例を示したもので、この場合は、まつ毛本体１をカールを掛けない直とし、これに対する屈折部３の屈折角度αを６０°とした。
【実施例３】
【００２２】
図６はさらに他の実施例を示したもので、この場合は、まつ毛本体１に弓形のカール５を掛け、そのカールの方位Ｑと屈折部３の方位Ｒとを同じとした。また、屈折部３の屈折角度αを２５°と強鋭角の反転角度とした。
【００２３】
図７は、主に実施例２および実施例３の付けまつ毛Ｐ，Ｐ，・・を使用したときを示す。両付けまつ毛Ｐ，Ｐは、屈折部３が上向きに反転する屈折角度αであるので、生えまつ毛Ｓ，Ｓ，・・がランダムに左右へ傾斜している図示のような場合にそれを修正するのに適しており、生えまつ毛Ｓに屈折部３を添えて接着すると、真っ直ぐに各付けまつ毛Ｐ，Ｐ，・・が整然と並ばせることができた。また、ピン先が目８に近づかなく安全であった。そして、整然な並びを基本に目にポイントをおく自由な増毛美の演出が可能であった。
【符号の説明】
【００２４】
Ｐ  付けまつ毛
Ｓ  生えまつ毛
１  まつ毛本体
３  屈折部
５  カール
α  屈折角度
Ｑ  カールの方位
Ｒ  屈折部の方位
【図１】
0003167976.tif 000003
【図２】
0003167976.tif 000004
【図３】
0003167976.tif 000005
【図４】
0003167976.tif 000006
【図５】
0003167976.tif 000007
【図６】
0003167976.tif 000008
【図７】
0003167976.tif 000009
【図８】
0003167976.tif 000010